(57)【特許請求の範囲】
【請求項１】
物品または役務を利用者に提供する施設を管理するユーザの業務を支援する施設管理支援装置であって、
前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、
前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、
前記対象エリアの映像を前記第１のユーザに提示する映像提示部と、
前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、
前記個別評価情報を指定期間で集計して、その指定期間における評価結果を一覧表示するための評価集計情報を生成する評価集計情報生成部と、
前記評価集計情報を第２のユーザに提示する評価集計情報提示部と、
前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、
前記改善実施情報を前記第１のユーザに提示する改善実施情報提示部と、
を備えたことを特徴とする施設管理支援装置。
【請求項２】
更に、前記第１の数量および前記第２の数量に基づいて、注意の必要性を時間帯ごとに判定して、要注意な時間帯を決定する要注意時間帯決定部を備え、
前記統計情報提示部は、前記要注意な時間帯に対応する前記選択ポイントを優先的に選択可能に表示することを特徴とする請求項１に記載の施設管理支援装置。
【請求項３】
前記施設としての店舗内を撮影した映像に基づいて、前記第１の数量として、前記店舗に来店した顧客の人数を取得し、
販売情報を管理する販売情報管理装置から前記販売情報を取得して、その販売情報に基づいて、前記第２の数量として、前記店舗全体において実際に商品を購入した顧客の人数を取得することを特徴とする請求項１または請求項２のいずれかに記載の施設管理支援装置。
【請求項４】
前記個別評価情報取得部は、複数の前記第１のユーザによる入力操作に応じて、前記個別評価情報を複数の前記第１のユーザごとに取得し、
前記評価集計情報生成部は、複数の前記第１のユーザごとの評価結果を一覧表示する前記評価集計情報を生成することを特徴とする請求項１から請求項３のいずれかに記載の施設管理支援装置。
【請求項５】
前記評価集計情報提示部は、前記要注意な時間帯に対応する前記評価結果を、他の前記評価結果と識別可能に提示することを特徴とする請求項２に記載の施設管理支援装置。
【請求項６】
前記評価集計情報提示部は、前記評価集計情報に、前記対象エリアの評価結果に対応させた状態で前記対象エリアの映像を付加して前記第２のユーザに提示することを特徴とする請求項１から請求項５のいずれかに記載の施設管理支援装置。
【請求項７】
物品または役務を利用者に提供する施設を管理するユーザの業務を支援する施設管理支援装置であって、
前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、
前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、
前記対象エリアの映像を第１のユーザに提示する映像提示部と、
前記対象エリアの映像を閲覧した第１のユーザが、不備のある前記対象エリアで実施した改善処置の実施状況を入力する操作に応じて、その改善処置の実施状況に関する改善実施情報を取得する改善実施情報取得部と、
前記改善実施情報を第２のユーザに提示する改善実施情報提示部と、
を備えたことを特徴とする施設管理支援装置。
【請求項８】
物品または役務を利用者に提供する施設を管理するユーザの業務を支援する施設管理支援システムであって、
前記施設内を撮影するカメラと、
複数の情報処理装置と、
を有し、
前記複数の情報処理装置のいずれかが、
前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、
前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、
前記対象エリアの映像を第１のユーザに提示する映像提示部と、
前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、
前記個別評価情報を指定期間で集計して、その指定期間における評価結果を一覧表示する評価集計情報を生成する評価集計情報生成部と、
前記評価集計情報を第２のユーザに提示する評価集計情報提示部と、
前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、
前記改善実施情報を前記第１のユーザに提示する改善実施情報提示部と、
を備えたことを特徴とする施設管理支援システム。
【請求項９】
物品または役務を利用者に提供する施設を管理するユーザの業務を支援する処理を情報処理装置に行わせる施設管理支援方法であって、
前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示するステップと、
前記統計情報を閲覧した前記第１のユーザが、前記統計情報の時間軸上の選択ポイントを選択する操作に応じて、前記施設内を撮影した映像から前記選択ポイントに対応する対象エリアの映像を抽出するステップと、
前記対象エリアの映像を第１のユーザに提示するステップと、
前記対象エリアの映像を閲覧した前記第１のユーザが、前記対象エリアにおける不備の有無に関する評価結果を入力する操作に応じて、前記対象エリアの評価結果に関する個別評価情報を取得するステップと、
前記個別評価情報を指定期間で集計して、その指定期間における評価結果を一覧表示する評価集計情報を生成するステップと、
前記評価集計情報を第２のユーザに提示するステップと、
前記評価集計情報を閲覧した前記第２のユーザが、不備のある前記対象エリアで実施した改善処置の実施状況を入力する操作に応じて、その改善処置の実施状況に関する改善実施情報を取得するステップと、
前記改善実施情報を前記第１のユーザに提示するステップと、
を備えたことを特徴とする施設管理支援方法。
【発明の詳細な説明】
【技術分野】
【０００１】
本発明は、物品または役務を利用者に提供する施設を管理するユーザの業務を支援する施設管理支援装置、施設管理支援システムおよび施設管理支援方法に関するものである。
【背景技術】
【０００２】
コンビニエンスストアのようにグループ内に多数のチェーン店を有する店舗運営システムでは、複数の店舗を総括する本部に所属するスーパーバイザーが、店舗を巡回しながら、店舗の状況を把握して、店長に対して指導や提案を行うようにしているが、近年、店舗運営システムの大規模化に伴い、スーパーバイザーが管理する店舗が非常に多くなり、また、各店舗の状況にもばらつきがあるため、各店舗の状況を把握する業務をスーパーバイザーが効率よく行うことができる技術が望まれる。
【０００３】
このようなスーパーバイザーが行う業務に関連するものとして、従来、店舗に監視カメラやマイクロホンを設置して、監視カメラによる映像やマイクロホンによる音声に基づいて、店舗内の商品や店員の状況に関する情報を生成して、その情報を本部の端末に送信する技術が知られている（特許文献１参照）。この技術では、店長に対して適切な指導を行う上で有用な情報を、スーパーバイザーが本部に居ながら取得することができるため、スーパーバイザーの負担を大幅に軽減することができ、また、スーパーバイザーの個人的な能力差による指導内容のばらつきを抑えることができる。
【先行技術文献】
【特許文献】
【０００４】
【特許文献１】特開２００２−３６６６２１号公報
【発明の概要】
【発明が解決しようとする課題】
【０００５】
さて、スーパーバイザーは、店舗内の状況について不備があるか否かの評価を行い、不備がある場合には店長に対して指導を行い、店長は、スーパーバイザーの指導に応じて必要な改善処置を実施することになるが、このとき、店舗に対する評価に関する情報や、その評価に応じて店舗において実施した改善処置に関する情報を、スーパーバイザーと店長との間で共有することが望まれる。特に、緊急性および重要性の高い改善事項に関しては、スーパーバイザーと店長との間で合意した上で改善処置が実施されることが望まれ、このようなスーパーバイザーと店長との間で意思疎通を図ることで、店舗管理業務を合理的に行うことができる。
【０００６】
しかしながら、前記従来の技術では、店舗内の商品や店員の状況に関する情報が一方的に本部のスーパーバイザーに提供される、すなわち、一方向の情報の流れが存在するのみで、スーパーバイザーと店長との間で情報を共有する仕組みに関しては、何ら配慮がなされておらず、スーパーバイザーと店長との間で十分な意思疎通ができないために店舗管理業務を合理的に行うことができないという問題があった。
【０００７】
本発明は、このような従来技術の問題点を解消するべく案出されたものであり、その主な目的は、施設に対する評価に関する情報や、その評価に応じて施設において実施した改善処置に関する情報を、複数の関係者同士で共有して、複数の関係者間での意思疎通を図ることで、施設管理業務を合理的に行うことができるように構成された施設管理支援装置、施設管理支援システムおよび施設管理支援方法を提供することにある。
【課題を解決するための手段】
【０００８】
本発明の施設管理支援装置は、物品または役務を利用者に提供する施設を管理するユーザの業務を支援する施設管理支援装置であって、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、前記対象エリアの映像を前記第１のユーザに提示する映像提示部と、前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、前記個別評価情報を指定期間で集計して、その指定期間における評価結果を一覧表示するための評価集計情報を生成する評価集計情報生成部と、前記評価集計情報を第２のユーザに提示する評価集計情報提示部と、前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、前記改善実施情報を前記第１のユーザに提示する改善実施情報提示部と、を備えた構成とする。
【０００９】
また、本発明の施設管理支援システムは、物品または役務を利用者に提供する施設を管理するユーザの業務を支援する施設管理支援システムであって、前記施設内を撮影するカメラと、複数の情報処理装置と、を有し、前記複数の情報処理装置のいずれかが、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、前記対象エリアの映像を第１のユーザに提示する映像提示部と、前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、前記個別評価情報を指定期間で集計して、その指定期間における評価結果を一覧表示する評価集計情報を生成する評価集計情報生成部と、前記評価集計情報を第２のユーザに提示する評価集計情報提示部と、前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、前記改善実施情報を前記第１のユーザに提示する改善実施情報提示部と、を備えた構成とする。
【００１０】
また、本発明の施設管理支援方法は、物品または役務を利用者に提供する施設を管理するユーザの業務を支援する処理を情報処理装置に行わせる施設管理支援方法であって、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示するステップと、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出するステップと、前記対象エリアの映像を第１のユーザに提示するステップと、前記対象エリアの映像を閲覧した前記第１のユーザが、前記対象エリアにおける不備の有無に関する評価結果を入力する操作に応じて、前記対象エリアの評価結果に関する個別評価情報を取得するステップと、前記個別評価情報を指定期間で集計して、その指定期間における評価結果を一覧表示する評価集計情報を生成するステップと、前記評価集計情報を第２のユーザに提示するステップと、前記評価集計情報を閲覧した前記第２のユーザが、不備のある前記対象エリアで実施した改善処置の実施状況を入力する操作に応じて、その改善処置の実施状況に関する改善実施情報を取得するステップと、前記改善実施情報を前記第１のユーザに提示するステップと、を備えた構成とする。
【発明の効果】
【００１１】
本発明によれば、統計情報により問題があるものと考えられる選択ポイントの映像を素早く表示させて、統計情報と映像とを比較しながら、機会損失の状況を確認し、施設に対する評価に関する情報、およびその評価に応じて施設において実施した改善処置に関する情報を、第１のユーザと第２のユーザとで共有して、第１のユーザと第２のユーザとの間で意思疎通を図ることで、施設管理業務を合理的に行うことができる。
【図面の簡単な説明】
【００１２】
【図１】本実施形態に係る施設管理支援システムの全体構成図
【図２】店舗のレイアウトおよびカメラ１の設置状況を説明する店舗の平面図
【図３】店舗内に設定される対象エリアを示す店舗の平面図
【図４】本部に設置された施設管理サーバ１１の概略構成を示す機能ブロック図
【図５】顧客検知部３３および計測部３４の概略構成を示す機能ブロック図
【図６】要注意時間帯決定部３５で行われる店舗全体を対象とした要注意時間帯決定処理の手順を示すフロー図
【図７】本部のＰＣ１２および店舗のＰＣ３で実行される処理、ならびにスーパーバイザー、店長および店員が行う行為の概要を示すシーケンス図
【図８】モニタ１５，５に表示される店舗モニタリング画面を示す説明図
【図９】図８に示した表示モード選択部を示す説明図
【図１０】モニタ１５，５に表示される売場モニタリング画面を示す説明図
【図１１】モニタ１５，５に表示される入力モード選択画面を示す説明図
【図１２】本部のモニタ１５に表示される評価結果入力画面を示す説明図
【図１３】店舗のモニタ５に表示される評価結果一覧画面を示す説明図
【図１４】店舗のモニタ５に表示される評価結果一覧画面を示す説明図
【図１５】店舗のモニタ５に表示される評価結果一覧画面を示す説明図
【図１６】評価結果一覧画面の要部を示す説明図
【図１７】店舗のモニタ５に表示される改善状況入力画面を示す説明図
【図１８】本部のモニタ１５に表示される評価管理画面を示す説明図
【図１９】第２実施形態において、本部のＰＣ１２および店舗のＰＣ３で実行される処理、ならびにスーパーバイザー、店長および店員が行う行為の概要を示すシーケンス図
【発明を実施するための形態】
【００１３】
前記課題を解決するためになされた第１の発明は、物品または役務を利用者に提供する施設を管理するユーザの業務を支援する施設管理支援装置であって、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、前記対象エリアの映像を前記第１のユーザに提示する映像提示部と、前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、前記個別評価情報を指定期間で集計して、その指定期間における評価結果を一覧表示するための評価集計情報を生成する評価集計情報生成部と、前記評価集計情報を第２のユーザに提示する評価集計情報提示部と、前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、前記改善実施情報を前記第１のユーザに提示する改善実施情報提示部と、を備えた構成とする。
【００１４】
これによると、統計情報により問題があるものと考えられる選択ポイントの映像を素早く表示させて、統計情報と映像とを比較しながら、機会損失の状況を確認し、施設に対する評価に関する情報、およびその評価に応じて施設において実施した改善処置に関する情報を、第１のユーザと第２のユーザとで共有して、第１のユーザと第２のユーザとの間で意思疎通を図ることで、施設管理業務を合理的に行うことができる。
【００１７】
また、第２の発明は、更に、前記第１の数量および前記第２の数量に基づいて、注意の必要性を時間帯ごとに判定して、要注意な時間帯を決定する要注意時間帯決定部を備え、前記統計情報提示部は、前記要注意な時間帯に対応する前記選択ポイントを優先的に選択可能に表示する構成とする。
【００１８】
これによると、要注意な時間帯の映像を素早く表示させて、映像により機会損失の状況を具体的に確認する作業を第１のユーザが効率よく行うことができる。
【００１９】
また、第３の発明は、前記施設としての店舗内を撮影した映像に基づいて、前記第１の数量として、前記店舗に来店した顧客の人数を取得し、販売情報を管理する販売情報管理装置から前記販売情報を取得して、その販売情報に基づいて、前記第２の数量として、前記店舗全体において実際に商品を購入した顧客の人数を取得する構成とする。
【００２０】
これによると、店舗全体での機会損失の状況を第１のユーザが把握することができる。
【００２１】
また、第４の発明は、前記個別評価情報取得部は、複数の前記第１のユーザによる入力操作に応じて、前記個別評価情報を複数の前記第１のユーザごとに取得し、前記評価集計情報生成部は、複数の前記第１のユーザごとの評価結果を一覧表示する前記評価集計情報を生成する構成とする。
【００２２】
これによると、複数の第１のユーザごとの評価結果を比較することで、複数の第１のユーザごとの評価基準の違いを第２のユーザが把握することができる。
【００２３】
また、第５の発明は、前記評価集計情報提示部は、前記要注意な時間帯に対応する前記評価結果を、他の前記評価結果と識別可能に提示する構成とする。
【００２４】
これによると、要注意な時間帯、すなわち機会損失が発生したものと想定される時間帯に対応する評価結果を第２のユーザが迅速に確認することができる。
【００２５】
また、第６の発明は、前記評価集計情報提示部は、前記評価集計情報に、前記対象エリアの評価結果に対応させた状態で前記対象エリアの映像を付加して前記第２のユーザに提示する構成とする。
【００２６】
これによると、対象エリアの評価結果とともに対象エリアの映像が第２のユーザに提示されるため、対象エリアの評価内容を第２のユーザが容易にかつ具体的に把握することができる。そして、第２のユーザが施設側の管理者である場合には、対象エリアの映像に基づいて、従業員に対する指導を的確にかつ具体的に行うことができる。
【００２７】
また、第７の発明は、物品または役務を利用者に提供する施設を管理するユーザの業務を支援する施設管理支援装置であって、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、前記対象エリアの映像を第１のユーザに提示する映像提示部と、前記対象エリアの映像を閲覧した第１のユーザが、不備のある前記対象エリアで実施した改善処置の実施状況を入力する操作に応じて、その改善処置の実施状況に関する改善実施情報を取得する改善実施情報取得部と、前記改善実施情報を第２のユーザに提示する改善実施情報提示部と、を備えた構成とする。
【００２８】
これによると、施設において実施した改善処置に関する情報を、第１のユーザと第２のユーザとで共有して、第１のユーザと第２のユーザとの間で意思疎通を図ることで、施設管理業務を合理的に行うことができる。
【００２９】
また、第８の発明は、物品または役務を利用者に提供する施設を管理するユーザの業務を支援する施設管理支援システムであって、前記施設内を撮影するカメラと、複数の情報処理装置と、を有し、前記複数の情報処理装置のいずれかが、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示する統計情報提示部と、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出する映像抽出部と、前記対象エリアの映像を第１のユーザに提示する映像提示部と、前記対象エリアの映像を閲覧した前記第１のユーザが、前記対象エリアにおける不備の有無に関する評価結果を入力する操作に応じて、前記対象エリアの評価結果に関する個別評価情報を取得する個別評価情報取得部と、前記個別評価情報を指定期間で集計して、その指定期間における評価結果を一覧表示する評価集計情報を生成する評価集計情報生成部と、前記評価集計情報を第２のユーザに提示する評価集計情報提示部と、前記評価集計情報を閲覧した前記第２のユーザが、不備のある前記対象エリアで実施した改善処置の実施状況を入力する操作に応じて、その改善処置の実施状況に関する改善実施情報を取得する改善実施情報取得部と、前記改善実施情報を前記第１のユーザに提示する改善実施情報提示部と、を備えた構成とする。
【００３０】
これによると、第１の発明と同様に、統計情報により問題があるものと考えられる選択ポイントの映像を素早く表示させて、統計情報と映像とを比較しながら、機会損失の状況を確認し、施設に対する評価に関する情報や、その評価に応じて施設において実施した改善処置に関する情報を、複数の関係者同士で共有して、複数の関係者間での意思疎通を図ることで、施設管理業務を合理的に行うことができる。
【００３１】
また、第９の発明は、物品または役務を利用者に提供する施設を管理するユーザの業務を支援する処理を情報処理装置に行わせる施設管理支援方法であって、前記施設において物品または役務の提供が期待される利用者に関連する第１の数量と前記施設において実際に物品または役務の提供を受けた利用者に関連する第２の数量とを取得し、前記第１の数量および前記第２の数量の時間的な推移状況を示す統計情報を生成し、この統計情報を第１のユーザに提示するステップと、前記統計情報を閲覧した前記第１のユーザが、前記統計情報の時間軸上の選択ポイントを選択する操作に応じて、前記施設内を撮影した映像から前記選択ポイントに対応する対象エリアの映像を抽出するステップと、前記対象エリアの映像を第１のユーザに提示するステップと、前記対象エリアの映像を閲覧した前記第１のユーザが、前記対象エリアにおける不備の有無に関する評価結果を入力する操作に応じて、前記対象エリアの評価結果に関する個別評価情報を取得するステップと、前記個別評価情報を指定期間で集計して、その指定期間における評価結果を一覧表示する評価集計情報を生成するステップと、前記評価集計情報を第２のユーザに提示するステップと、前記評価集計情報を閲覧した前記第２のユーザが、不備のある前記対象エリアで実施した改善処置の実施状況を入力する操作に応じて、その改善処置の実施状況に関する改善実施情報を取得するステップと、前記改善実施情報を前記第１のユーザに提示するステップと、を備えた構成とする。
【００３２】
これによると、第１の発明と同様に、統計情報により問題があるものと考えられる選択ポイントの映像を素早く表示させて、統計情報と映像とを比較しながら、機会損失の状況を確認し、施設に対する評価に関する情報や、その評価に応じて施設において実施した改善処置に関する情報を、複数の関係者同士で共有して、複数の関係者間での意思疎通を図ることで、施設管理業務を合理的に行うことができる。
【００３３】
以下、本発明の実施の形態を、図面を参照しながら説明する。
【００３４】
（第１実施形態）
図１は、第１実施形態に係る施設管理支援システムの全体構成図である。この施設管理支援システムは、コンビニエンスストアなどの小売チェーン店などを対象にして構築されるものであり、複数の店舗ごとに設けられたカメラ１、レコーダ（映像蓄積装置）２、ＰＣ（ユーザ端末）３、およびＰＯＳ端末（販売情報管理装置）４と、複数の店舗を総括する本部に設けられた施設管理サーバ（施設管理支援装置）１１、ＰＣ（ユーザ端末）１２、およびＰＯＳサーバ（販売情報管理装置）１３と、を備えている。
【００３５】
カメラ１は店舗内の適所に設置され、カメラ１により店舗内が撮影され、これにより得られた映像がレコーダ２に蓄積される。店舗に設置されたＰＣ３や本部に設置されたＰＣ１２では、カメラ１で撮影された店舗内の映像をリアルタイムで閲覧することができ、また、レコーダ２に蓄積された過去の店舗内の映像を閲覧することができ、これにより店舗や本部で店舗内の状況を確認することができる。
【００３６】
本部に設置された施設管理サーバ１１は、店舗を管理する店長やスーパーバイザー（指導員）などのユーザの業務を支援する施設管理支援装置として構成される。また、この施設管理サーバ１１で生成した情報は、本部に設置されたＰＣ１２によりスーパーバイザーや本部マネージャーなどの本部側のユーザが閲覧することができ、さらに、店舗に設置されたＰＣ３に送信されて、このＰＣ３により店長や店員などの店舗側のユーザが閲覧することができ、ＰＣ３，１２が閲覧装置として構成される。
【００３７】
ＰＯＳ端末４は、店舗のレジカウンタに設置され、顧客が購入する商品の会計を行う際に店員が操作する。このＰＯＳ端末４および本部に設置されたＰＯＳサーバ１３は、各店舗での売上げに関する販売情報を管理するＰＯＳ（point of sale）システム（販売情報管理システム）を構成している。このＰＯＳシステムでは、販売情報として、顧客が購入した商品の名称、種類、数量、金額および会計時刻などの情報が管理される。この販売情報は、ＰＯＳ端末４とＰＯＳサーバ１３とで共有され、ＰＯＳ端末４では、設置された店舗の販売情報が管理され、ＰＯＳサーバ１３では、全ての店舗の販売情報が管理される。
【００３８】
次に、店舗のレイアウトおよびカメラ１の設置状況について説明する。図２は、店舗のレイアウトおよびカメラ１の設置状況を説明する店舗の平面図である。
【００３９】
店舗には、出入口と、陳列棚と、レジカウンタと、調理器具と、が設けられている。陳列棚は、弁当、ベイカリー、お菓子、加工食品、デザート、ドリンク、雑誌などの商品の種類に分けて設置されている。調理器具は、唐揚げなどのファーストフードを店内で調理するものであり、レジカウンタの隣には、ファーストフードの陳列棚が設置されている。顧客は、出入口から入店し、陳列棚の間の通路を通って店舗内を移動し、所望の商品が見つかると、その商品を持ってレジカウンタに向かい、レジカウンタで会計（代金の支払い）を済ませた後に出入口から退店する。
【００４０】
また、店舗には、店舗内を撮影する複数のカメラ１が設置されている。特に、図２（Ａ）に示す例では、カメラ１に、魚眼レンズを用いて３６０度の撮影範囲を有する全方位カメラが採用されており、図２（Ｂ）に示す例では、カメラ１に、所定の画角を有するカメラ、いわゆるボックスカメラが採用されており、これらのカメラ１は、陳列棚やレジカウンタが設けられた売場の天井に設置され、売場の全体を撮影することができる。
【００４１】
次に、店舗内に設定される対象エリアについて説明する。図３は、店舗内に設定される対象エリアを示す店舗の平面図である。
【００４２】
店舗の出入口の店内側には、顧客が店舗に出入りする際に顧客が通過する対象エリアＡ１が設定されている。この対象エリアＡ１の映像に基づいて、店舗に入店する顧客を検知することができる。本実施形態では、この対象エリアＡ１での顧客の検知結果に基づいて、店舗に来店した顧客の人数（来店客数）を計測する。
【００４３】
また、売場の陳列棚の間には、対象エリアＡ２−１〜Ａ２−５が設定されている。この対象エリアＡ２−１〜Ａ２−５は、商品の種類ごとに分割された売場となり、この対象エリアＡ２−１〜Ａ２−５の映像に基づいて、各売場に滞在する顧客を検知することができる。本実施形態では、この対象エリアＡ２−１〜Ａ２−５での顧客の検知結果に基づいて、各売場に滞在する顧客の人数（売場滞在客数）を計測する。
【００４４】
また、レジカウンタの売場側には、顧客が会計を行う際に会計待ちの顧客が滞在する対象エリアＡ３が設定されている。また、トイレの出入口の売場側には、顧客がトイレを利用する際に顧客が通過する対象エリアＡ４が設定されている。これにより、会計待ちの顧客やトイレを利用する顧客を検知することができる。
【００４５】
また、本実施形態では、対象エリアの映像を画面表示するようにしており、この対象エリアの映像により、スーパーバイザーや店長が、陳列棚の商品の陳列状態や店員の業務の実施状況などを確認することができる。特に、本実施形態では、スーパーバイザーが、対象エリアの映像を見て、各対象エリア（売場）を対象にして、整理整頓、陳列棚の商品のフェースアップ、陳列棚の商品を補充する品出し、トイレ掃除、および接客業務などの評価項目に関する評価を行う。
【００４６】
次に、図１に示した本部に設置された施設管理サーバ１１で行われる施設管理支援処理について説明する。図４は、本部に設置された施設管理サーバ１１の概略構成を示す機能ブロック図である。
【００４７】
施設管理サーバ１１は、映像取得部３１と、販売情報取得部３２と、顧客検知部３３と、計測部３４と、統計情報生成部３６と、要注意時間帯決定部３５と、映像抽出部３７と、評価情報蓄積部３８と、評価集計情報生成部３９と、評価管理情報生成部４０と、入出力制御部４１と、を備えている。
【００４８】
映像取得部３１では、カメラ１およびレコーダ２から店舗内を撮影した映像を取得する。ここで、当日の状況をリアルタイムに表示させる場合にはカメラ１から映像を取得し、過去の一定期間の状況を表示させる場合にはレコーダ２から映像を取得する。
【００４９】
販売情報取得部３２では、ＰＯＳサーバ１３から販売情報を取得する。販売情報には、顧客ごとの会計時刻（レシートの発行時刻）、顧客が購入した商品の名称、種類、金額、および数量などの情報が含まれる。なお、店舗に設置されたＰＯＳ端末４から販売情報を取得することも可能である。
【００５０】
顧客検知部３３では、映像取得部３１で取得した映像から人物を検出する人物検出処理により、出入口から入店する顧客や各売場に滞在する顧客を検知する処理が行われる。なお、この顧客検知部３３で行われる処理については後に詳しく説明する。
【００５１】
計測部３４では、顧客検知部３３での検知結果および販売情報取得部３２で取得した販売情報に基づいて、所定の計測期間（１５分間）における計測値（来店客数、売場滞在客数、店舗会計客数、および売場会計客数）を計測する処理が行われる。なお、この計測部３４で行われる処理については後に詳しく説明する。
【００５２】
要注意時間帯決定部３５では、計測部３４で取得した計測値（来店客数、売場滞在客数、店舗会計客数、および売場会計客数）に基づいて、店舗における機会損失の状況を把握する際の注意の必要性を時間帯ごとに評価して、要注意な時間帯を決定する処理が行われる。
【００５３】
本実施形態では、店舗全体を対象にした時間帯ごとの評価値を取得して、その評価値に基づいて、店舗全体として要注意な時間帯か否かを判定する処理が行われる。また、本実施形態では、各売場を対象にした時間帯ごとの評価値を取得して、その評価値に基づいて、売場として要注意な時間帯か否かを判定する処理が行われる。なお、この要注意時間帯決定部３５で行われる処理については後に詳しく説明する。
【００５４】
統計情報生成部３６では、計測部３４で取得した計測期間（１５分間）ごとの客数（来店客数、売場滞在客数、店舗会計客数、および売場会計客数）を、所定の単位期間ごとに集計して、単位期間ごとの客数を取得して、客数の時間的な推移状況を示す統計情報を生成する処理が行われる。
【００５５】
なお、本実施形態では、統計情報生成部３６において、単位期間を時間帯として集計処理を行うものとするが、単位期間を１日、１週間、および１ヶ月としてもよい。また、本実施形態では、計測部３４において、計測期間を１５分間として、この計測期間ごとの客数（来店客数、売場滞在客数、店舗会計客数、および売場会計客数）を取得するようにしたが、計測期間を１時間などとしてもよい。ここで、計測期間を１時間とすると、時間帯（１時間）ごとの客数を取得する集計処理は不要となる。
【００５６】
入出力制御部４１では、種々の画面に関する表示情報を生成して、本部のＰＣ１２や店舗のＰＣ３を介してモニタ（表示装置）１５，５に画面を表示させる処理を行うとともに、マウスおよびキーボードなどの入力デバイス１６，６を用いて行われるユーザの入力操作による入力情報を本部のＰＣ１２や店舗のＰＣ３を介して取得する処理が行われる。この入出力制御部４１は、本部のＰＣ１２や店舗のＰＣ３で起動させたウェブブラウザとの間で情報をやり取りするウェブサーバとして構成すればよい。
【００５７】
本実施形態では、入出力制御部４１は、統計情報提示部５１と、映像提示部５２と、個別評価情報取得部５３と、評価集計情報提示部５４と、改善実施情報取得部５５と、改善実施情報提示部５６と、評価管理情報提示部５７と、を備えている。
【００５８】
統計情報提示部５１では、統計情報生成部３６で生成した統計情報を本部のＰＣ１２を介してスーパーバイザーに提示する処理が行われる。映像提示部５２では、映像抽出部３７で抽出された店舗内の映像を本部のＰＣ１２を介してスーパーバイザーに提示する処理が行われる。本実施形態では、統計情報提示部５１において、統計情報生成部３６で生成した統計情報から、客数（来店客数、売場滞在客数、店舗会計客数、および売場会計客数）の時間的な推移状況を表すタイムチャートを生成し、このタイムチャートと店舗内の映像とを統合して表示させる表示情報を出力し、これにより、店舗モニタリング画面（図８参照）および売場モニタリング画面（図１０参照）がモニタ１５に表示される。
【００５９】
個別評価情報取得部５３では、入力デバイス１６を用いたスーパーバイザーの入力操作に応じて、店舗の各売場に対する評価結果に関する個別評価情報を取得する処理が行われる。本実施形態では、評価結果入力画面（図１２参照）をモニタ１５に表示させ、この評価結果入力画面上で行われるスーパーバイザーの入力操作に応じて、個別評価情報を取得する。この個別評価情報取得部５３で取得した個別評価情報は評価情報蓄積部３８に蓄積される。
【００６０】
評価集計情報生成部３９では、個別評価情報取得部５３で取得して評価情報蓄積部３８に蓄積された個別評価情報、すなわち、各スーパーバイザーが行った評価結果に関する個別評価情報を指定期間で集計して、指定期間における評価結果を一覧表示するための評価集計情報を生成する処理が行われる。
【００６１】
入出力制御部４１の評価集計情報提示部５４では、評価集計情報生成部３９で生成した評価集計情報を店舗側のユーザに提示する処理が行われる。本実施形態では、各スーパーバイザーによる各売場の評価結果を一覧表示する評価結果一覧画面（図１６、図１７および図１８参照）が店舗のモニタ５に表示される。
【００６２】
改善実施情報取得部５５では、入力デバイス６を用いて行われる店舗側のユーザの入力操作に応じて、売場の不備を改善するための改善処置の実施状況に関する改善実施情報を取得する処理が行われる。本実施形態では、改善状況入力画面（図２０参照）をモニタ５に表示させ、この改善状況入力画面上で行われる店舗側のユーザの入力操作に応じて、改善実施情報を取得する。
【００６３】
改善実施情報提示部５６では、改善実施情報取得部５５で取得した改善実施情報を本部のＰＣ１２を介してスーパーバイザーに提示する処理が行われる。
【００６４】
評価管理情報生成部４０では、個別評価情報取得部５３で取得して評価情報蓄積部３８に蓄積された個別評価情報に基づいて、各スーパーバイザーの評価業務の実施状況に関する評価管理情報を生成する処理が行われる。
【００６５】
評価管理情報提示部５７では、評価管理情報生成部４０で生成した評価管理情報を本部のＰＣ１２を介して本部マネージャーに提示する処理が行われる。本実施形態では、各スーパーバイザーの評価業務の実施状況を表す評価管理画面（図１８参照）が本部のモニタ１５に表示される。
【００６６】
この他、入出力制御部４１では、入力デバイス１６，６を用いて行われるユーザの入力操作に応じて、種々の処理条件に関する設定情報を取得する処理が行われる。本実施形態では、例えば、売場に対応する対象エリア（図３参照）の位置情報を取得する。この場合、店舗の配置図が表示されたエリア設定画面をモニタ１５，５に表示させ、このエリア設定画面上で対象エリアの位置を入力すればよい。
【００６７】
なお、図４に示した施設管理サーバ１１の各部は、施設管理サーバ１１のＣＰＵで施設管理支援用のプログラムを実行させることで実現される。このプログラムは、情報処理装置としての施設管理サーバ１１に予め導入して専用の装置として構成する他、汎用ＯＳ上で動作するアプリケーションプログラムとして適宜なプログラム記録媒体に記録して、またネットワークを介して、ユーザに提供されるようにしてもよい。
【００６８】
次に、図４に示した顧客検知部３３および計測部３４で行われる処理について説明する。図５は、顧客検知部３３および計測部３４の概略構成を示す機能ブロック図である。
【００６９】
顧客検知部３３は、映像から人物を検出する人物検出処理により、出入口から入店する顧客および各売場に滞在する顧客を検知するものであり、来店客検知部７１と、売場滞在客検知部７２と、を備えている。なお、この顧客検知部３３で行われる処理には、公知の画像解析技術を用いればよい。
【００７０】
来店客検知部７１では、カメラ１により出入口を撮影した映像から人物を検出する人物検出処理により、出入口から入店する顧客を検知する処理が行われる。この処理では、カメラ１で撮影された対象エリアＡ１（図３参照）の映像上に計測ラインを設定し、その計測ラインを通過した人物を検知するようにすればよい。また、来店客検知部７１では、出入口から入店する顧客が検知された映像の撮影時刻から、顧客ごとの入店時刻を取得する。
【００７１】
売場滞在客検知部７２では、カメラ１により店舗内の各売場を撮影した映像から人物を検出する人物検出処理により、各売場に滞在する顧客を検知する処理が行われる。この処理では、所定の時間継続して各売場に対応する対象エリア内に存在する人物を検知する。また、売場滞在客検知部７２では、各売場に滞在する顧客が検知された映像の撮影時刻から、顧客ごとの売場滞在時刻を取得する。
【００７２】
計測部３４は、顧客検知部３３での検知結果および販売情報取得部３２で取得した販売情報に基づいて、所定の計測期間（１５分間）における客数を計測するものであり、第１の数量取得部７３と、第２の数量取得部７４と、を備えている。
【００７３】
第１の数量取得部７３は、店舗全体および各売場において商品の購入が期待される顧客、すなわち店舗に来店した顧客および売場に滞在する顧客に関連する第１の数量（来店客数および売場滞在客数）を取得するものであり、来店客数取得部７５と、売場滞在客数取得部７６と、を備えている。
【００７４】
来店客数取得部７５では、来店客検知部７１で取得した顧客ごとの入店時刻に基づいて、所定の計測期間ごとの来店客数、すなわち計測期間において店舗に来店した顧客の人数を取得する処理が行われる。
【００７５】
売場滞在客数取得部７６では、売場滞在客検知部７２で取得した顧客ごとの売場滞在時刻に基づいて、所定の計測期間ごとの売場滞在客数、すなわち売場に滞在する顧客の人数を売場ごとに取得する処理が行われる。
【００７６】
第２の数量取得部７４は、店舗全体および各売場において実際に商品を購入した顧客に関連する第２の数量（店舗会計客数および売場会計客数）を取得するものであり、店舗会計客数取得部７７と、売場会計客数取得部７８と、を備えている。
【００７７】
店舗会計客数取得部７７では、販売情報取得部３２で取得した顧客ごとの会計時刻に基づいて、所定の計測期間ごとの店舗会計客数、すなわち計測期間において店舗全体で会計を行った顧客の人数、換言すると、店舗でなんらかの商品を購入した顧客の人数を取得する処理が行われる。なお、店舗会計客数は、店舗で発行されたレシートの枚数となる。
【００７８】
売場会計客数取得部７８では、販売情報取得部３２で取得した顧客ごとの会計時刻に基づいて、所定の計測期間ごとの売場会計客数、すなわち計測期間において各売場の商品に関して会計を行った顧客の人数、換言すると、各売場の商品を購入した顧客の人数を取得する処理が行われる。なお、異なる売場の商品を同時に購入した顧客は、各売場で重複して計測される。
【００７９】
次に、図４に示した要注意時間帯決定部３５で行われる店舗全体を対象とした要注意時間帯決定処理について説明する。図６は、要注意時間帯決定部３５で行われる店舗全体を対象とした要注意時間帯決定処理の手順を示すフロー図である。
【００８０】
本実施形態では、要注意時間帯決定部３５において、店舗全体を対象とした時間帯ごとの評価値を取得して、この評価値を用いて、店舗全体として要注意な時間帯か否かを判定する処理が行われる。この処理では、店舗ギャップが所定のしきい値以上となるか否かの店舗ギャップ判定が行われる。本実施形態では、店舗ギャップを、来店客数と店舗会計客数との差分としており、来店客数取得部７５および店舗会計客数取得部７７でそれぞれ取得した計測値、すなわち来店客数および店舗会計客数に基づいて店舗ギャップ判定が行われる。
【００８１】
また、図６に示す例では、１つの時間帯に関して、計測部３４で取得した計測期間（１５分間）ごとの計測値（来店客数および店舗会計客数）に基づいて、店舗ギャップ判定を複数回（４回）行い、その計測期間ごとの店舗ギャップ判定の結果に基づいて、その時間帯の評価値を取得する。
【００８２】
具体的には、まず、来店客数取得部７５および店舗会計客数取得部７７において、１つの時間帯の最初の計測期間の来店客数および店舗会計客数を取得する（ＳＴ１０１，ＳＴ１０２）。次に、要注意時間帯決定部３５において、その計測期間の来店客数および店舗会計客数から店舗ギャップを算出する（ＳＴ１０３）。そして、店舗ギャップが所定のしきい値以上か否かの店舗ギャップ判定を行う（ＳＴ１０４）。ここで、店舗ギャップがしきい値以上であれば（ＳＴ１０４でＹｅｓ）、カウンタ値を１増分する（ＳＴ１０５）。
【００８３】
次に、１つの時間帯の処理が全て終了したかの判定を行い（ＳＴ１０６）、１つの時間帯の処理が全て終了していなければ（ＳＴ１０６でＮｏ）、次の計測期間の処理に進む。一方、１つの時間帯の処理が全て終了していれば（ＳＴ１０６でＹｅｓ）、要注意な時間帯か否かの判定処理に進む（ＳＴ１０７）。
【００８４】
この判定処理（ＳＴ１０７）では、カウンタ値を時間帯の評価値として、この時間帯の評価値を用いて、要注意な時間帯か否かを判定する処理が行われる。具体的には、時間帯の評価値を所定のしきい値（例えば２）と比較して、要注意な時間帯か否かを判定する。なお、本実施形態では、１つの時間帯（１時間）で店舗ギャップ判定を４回行うことから、評価値（カウンタ値）は０〜４のいずれかの値となる。
【００８５】
以上の処理が時間帯ごとに行われ、要注意な時間帯が決定される。
【００８６】
また、本実施形態では、要注意時間帯決定部３５において、各売場を対象とした時間帯ごとの評価値を取得して、この評価値を用いて、売場として要注意な時間帯か否かを判定する処理が行われる。この処理では、売場ギャップが所定のしきい値以上となるか否かの売場ギャップ判定が行われる。
【００８７】
この売場を対象とした処理は、図６に示した店舗全体を対象とした処理と同様の手順で行えばよいが、特に、この売場を対象とした処理では、売場ギャップを、売場滞在客数と売場会計客数との差分として、売場滞在客数取得部７６および売場会計客数取得部７８でそれぞれ取得した売場滞在客数および売場会計客数に基づいて店舗ギャップ判定を行えばよい。また、売場ギャップを、来店客数と売場滞在客数との差分として、来店客数取得部７５および売場滞在客数取得部７６でそれぞれ来店客数および売場滞在客数に基づいて店舗ギャップ判定を行うようにしてもよい。
【００８８】
次に、図４に示した本部のＰＣ１２および店舗のＰＣ３で実行される処理、ならびにスーパーバイザー、店長および店員が行う行為の概要について説明する。図７は、本部のＰＣ１２および店舗のＰＣ３で実行される処理、ならびにスーパーバイザー、店長および店員が行う行為の概要を示すシーケンス図である。
【００８９】
本実施形態では、スーパーバイザーが、自分が担当する店舗の各売場に対する評価を行い、その評価結果を店長に提示し、店長は、スーパーバイザーの評価結果を閲覧して、必要な改善処置を店員に指示し、店員が改善処置を実施して不備が解消されると、店長は、改善処置の実施状況をスーパーバイザーに報告し、スーパーバイザーは、店長からの報告を見て、店舗の不備が改善されたことを把握することができる。
【００９０】
具体的には、まず、本部のＰＣ１２において、スーパーバイザーの起動操作に応じてモニタリング画面（図８および図１０参照）が表示され、スーパーバイザーが、このモニタリング画面で、自分が担当する店舗の各売場の映像を閲覧する。そして、スーパーバイザーは、モニタリング画面に表示された店舗の売場の映像から売場の状況を把握して、売場の評価を行う。
【００９１】
このとき、モニタリング画面には、店舗ギャップや売場ギャップにより要注意と判定された時間帯が表示されており、スーパーバイザーは、この要注意な時間帯について売場の評価を行う。また、スーパーバイザーは、予め設定された時間帯、例えば朝、昼および夕の各ピーク時の直前の時間帯（朝７時、昼１２時、夕１６時）で売場の評価を行うように業務スケジュールが定められており、この業務スケジュールで定められた時間帯に売場の評価を行う。
【００９２】
次に、スーパーバイザーは、本部のＰＣ１２で各売場に対する評価結果を入力する。このとき、スーパーバイザーは、モニタリング画面上で売場および時間帯を選択すると、入力モード選択画面（図１１参照）が表示され、この入力モード選択画面で評価入力モードを選択すると、評価結果入力画面（図１２参照）が表示され、この評価結果入力画面で評価結果を入力する。
【００９３】
次に、店舗のＰＣ３では、店長の起動操作に応じてモニタリング画面（図８および図１０参照）が表示され、このモニタリング画面で店長が評価集計モードを選択すると、評価結果一覧画面（図１３、図１４および図１５参照）が表示される。店長は、この評価結果一覧画面を閲覧して、スーパーバイザーによる評価結果を確認する。そして、店長は、スーパーバイザーによる評価結果から改善処置が必要と判断すると、その改善処置を店員に指示し、店員が改善処置を行うことで、売場の不備が改善される。
【００９４】
次に、店舗のＰＣ３では、店長が、モニタリング画面において、改善処置を実施した売場、および改善処置を実施した直後の時刻を選択すると、入力モード選択画面（図１１参照）が表示され、この入力モード選択画面で改善入力モードを選択すると、改善状況入力画面（図１７参照）が表示され、店長は、この改善状況入力画面で売場の不備が改善されたことを入力する。
【００９５】
次に、本部のＰＣ１２では、店舗のＰＣ３において改善状況入力画面で入力された内容を表示する改善報告画面が表示され、この改善報告画面をスーパーバイザーが閲覧することで、売場の不備が改善されたことをスーパーバイザーが確認することができる。また、本部のＰＣ１２で、モニタリング画面（図８および図１０参照）を表示させて、このモニタリング画面に表示された映像により、不備が改善された売場の状況を確認することができる。
【００９６】
次に、店舗での機会損失の発生状況をユーザが把握するための店舗モニタリング画面について説明する。図８は、図４に示したモニタ１５，５に表示される店舗モニタリング画面を示す説明図である。図９は、図８に示した表示モード選択部８３を示す説明図である。なお、図８は、過去の指定日の状況を表示したものであるが、本日の状況をリアルタイムに表示することも可能であり、この場合、現在の時刻以前の状況が表示される。
【００９７】
この店舗モニタリング画面には、日付表示部８１と、日付選択部８２と、表示モード選択部８３と、店舗選択部８４と、統計情報表示部８５と、映像表示部８６と、映像操作部８７と、が設けられている。
【００９８】
日付表示部８１には、日付が表示される。なお、初期状態ではこの店舗モニタリング画面を開いた当日の日付が表示される。日付選択部８２は、ユーザが日付を選択するものである。日付選択部８２を操作すると、カレンダ画面が表示され、このカレンダ画面で日付を選択すると、選択された日付が日付表示部８１に表示され、その日付の統計情報および映像が統計情報表示部８５および映像表示部８６に表示される。
【００９９】
表示モード選択部８３は、ユーザが表示モードを選択するものである。本実施形態では、図９に示すように、表示モードとして、店舗モニタリング、売場モニタリング、評価結果別の評価集計、評価項目別の評価集計、評価者別の評価集計、および評価管理のいずれかの表示モードを選択することができる。
【０１００】
店舗モニタリングを選択すると、図８に示した店舗モニタリング画面が表示される。売場モニタリングを選択すると、図１０に示す売場モニタリング画面が表示される。評価結果別の評価集計を選択すると、図１３に示す評価結果一覧画面が表示される。評価項目別の評価集計を選択すると、図１４に示す評価結果一覧画面が表示される。評価者別の評価集計を選択すると、図１５に示す評価結果一覧画面が表示される。評価管理を選択すると、図１８に示す評価管理画面が表示される。
【０１０１】
図８に示したように、店舗選択部８４には、店舗ごとのタブ８８が設けられており、このタブ８８を選択操作することで、選択された店舗の統計情報および映像が統計情報表示部８５および映像表示部８６に表示される。
【０１０２】
統計情報表示部８５には、来店客数および店舗会計客数の時間的な推移状況を表すタイムチャートが表示される。このタイムチャートでは、来店客数および店舗会計客数が折れ線グラフで表されており、横軸が時刻となり、縦軸が人数となっている。本実施形態では、図４に示したように、統計情報生成部３６において、計測部３４で取得した計測値（来店客数および店舗会計客数）から統計情報を生成する処理が行われ、統計情報提示部５１において、統計情報生成部３６で生成された統計情報に基づいてタイムチャートを生成する処理が行われ、このタイムチャートが図８に示す統計情報表示部８５に表示される。
【０１０３】
この統計情報表示部８５には、タイムチャートの横軸である時間軸に沿って、時間帯（０時〜２３時）の文字８９が表示されている。この時間帯の文字８９は、映像表示部８６に表示される映像の表示時刻を指定する選択ポイントとなり、時間帯の文字８９のいずれかを選択する操作（クリック）を行うと、選択された時間帯の映像が映像表示部８６に表示される。また、統計情報表示部８５には、映像の表示時刻を表すライン９３が表示されている。
【０１０４】
また、統計情報表示部８５には、要注意時間帯決定部３５（図４参照）において店舗全体で要注意と判定された時間帯を表す画像９４が、タイムチャート上の対応する位置に重畳して表示されている。図８に示す例では、５時、１３時、および２０時の各時間帯に、要注意な時間帯を表す画像９４が表示されている。この画像９４により、要注意な時間帯に該当する時間帯の文字８９を優先的に選択することができる。
【０１０５】
なお、要注意な時間帯に該当する時間帯の文字８９を、その他の時間帯の文字８９と異なる表示形態で表示する、例えば色、太さ、大きさなどを変えて強調表示するようにしてもよい。
【０１０６】
映像表示部８６には、カメラ１により撮影された店舗内の映像が動画で表示される。この映像表示部８６には、売場の映像を表示する売場映像表示部９１が売場ごとに設けられており、各売場映像表示部９１には、売場名称表示部９２が売場の映像上に重畳して表示されている。この売場映像表示部９１の映像は、統計情報表示部８５の時間帯の文字（選択ポイント）８２を選択する操作に応じて表示され、時間帯の文字８９を選択する操作（クリック）を行うと、選択された時間帯の各売場の映像が売場映像表示部９１に表示される。
【０１０７】
映像操作部８７には、時刻表示部９５と、第１，第２のスキップボタン９６，９７と、第１，第２の逆スキップボタン９８，９９と、が設けられている。第１，第２のスキップボタン９６，９７はスキップ間隔が異なり、例えば、第１のスキップボタン９６を操作すると、１５分後の映像に飛び、第２のスキップボタン９７を操作すると、１時間後の映像に飛ぶ。また、第１，第２の逆スキップボタン９８，９９もスキップ間隔が異なり、例えば、第１の逆スキップボタン９８を操作すると、１５分前の映像に飛び、第２の逆スキップボタン９９を操作すると、１時間前の映像に飛ぶ。
【０１０８】
次に、売場での機会損失の状況をユーザが把握するための売場モニタリング画面について説明する。図１０は、図４に示したモニタ１５，５に表示される売場モニタリング画面を示す説明図である。なお、図１０は、過去の指定日の状況を表示したものであるが、本日の状況をリアルタイムに表示することも可能であり、この場合、現在の時刻以前の状況が表示される。
【０１０９】
この売場モニタリング画面には、日付表示部８１と、日付選択部８２と、表示モード選択部８３と、店舗・売場表示部１０１と、統計情報表示部１０２と、映像表示部１０３と、映像操作部８７と、が設けられている。
【０１１０】
日付表示部８１、日付選択部８２、表示モード選択部８３、および映像操作部８７は、図８に示した店舗モニタリング画面と同様である。店舗・売場表示部１０１には、選択した店舗および売場の名称が表示される。また、この店舗・売場表示部１０１では、売場の名称を操作（クリック）することで、売場一覧が表示され、この売場一覧で表示させたい売場を選択することができる。
【０１１１】
統計情報表示部１０２には、売場会計客数、売場滞在客数および来店客数の時間的な推移状況を表すタイムチャートが表示される。このタイムチャートでは、売場会計客数、売場滞在客数および来店客数が折れ線グラフで表されており、横軸が時刻となり、縦軸が人数となっている。本実施形態では、図４に示したように、統計情報生成部３６において、計測部３４で取得した計測値（売場会計客数、売場滞在客数および来店客数）から統計情報を生成する処理が行われ、統計情報提示部５１において、統計情報生成部３６で生成された統計情報に基づいてタイムチャートを生成する処理が行われ、このタイムチャートが図１０に示す統計情報表示部１０２に表示される。
【０１１２】
この統計情報表示部１０２には、図８に示した店舗モニタリング画面と同様に、タイムチャートの時間軸に沿って時間帯の文字８９が表示されており、この時間帯の文字８９が、映像表示部８６に表示される映像の表示時刻を指定する選択ポイントとなる。また、統計情報表示部１０２には、映像の時刻を表すライン９３が表示されている。
【０１１３】
また、統計情報表示部１０２には、要注意時間帯決定部３５（図４参照）において売場単位で要注意と判定された時間帯を表す画像９４が、タイムチャート上の対応する位置に重畳して表示されている。図１０に示す例では、８時、１５時、１８時の各時間帯に、要注意な時間帯を画像９４が表示されている。
【０１１４】
映像表示部１０３には、カメラ１により撮影された売場の映像が動画で表示される。この映像表示部１０３には、売場の映像を表示する売場映像表示部１０５が複数設けられている。この複数の売場映像表示部１０５には、１つの時間帯（１時間）において所定の間隔（例えば１５分間）をおいた各時刻の映像が表示される。各売場映像表示部１０５には、映像の表示時刻を表す時刻表示部１０６が売場の映像上に重畳して表示される。
【０１１５】
なお、図８に示した店舗モニタリング画面および図１０に示した売場モニタリング画面において、売場映像表示部９１，１０５で動画を表示させるにあたり、初期状態で、選択された時間帯の開始時刻の静止画を表示させ、売場映像表示部９１，１０５を選択する操作（クリック）を行うと、動画の再生が開始されるようにするとよい。また、売場映像表示部９１，１０５で動画を再生するようにしてもよいが、ポップアップで動画再生画面を表示させるようにしてもよい。
【０１１６】
次に、スーパーバイザーが評価結果を入力する評価結果入力画面について説明する。図１１は、図４に示したモニタ１５，５に表示される入力モード選択画面を示す説明図である。図１２は、図４に示した本部のモニタ１５に表示される評価結果入力画面を示す説明図である。
【０１１７】
図８に示した店舗モニタリング画面において映像表示部８６の売場名称表示部９２を操作（クリック）する、また、図１０に示した売場モニタリング画面において映像表示部１０３の時刻表示部１０６を操作（クリック）すると、図１１に示す入力モード選択画面がポップアップで表示される。
【０１１８】
この入力モード選択画面は、ユーザが入力モードを選択するものであり、この入力モード選択画面には、入力モード選択部１１１と、決定ボタン１１２と、が設けられている。入力モード選択部１１１では、評価結果入力および改善状況入力のいずれかの入力モードを選択することができる。ここで、評価結果入力モードを選択して、決定ボタン１１２を操作すると、図１２（Ａ）に示す評価結果入力画面がポップアップで表示される。
【０１１９】
この評価結果入力画面は、スーパーバイザーが店舗に対して行った評価の結果を入力するものであり、この評価結果入力画面には、評価結果選択部１２１と、評価項目選択部１２２と、改善要望選択部１２３と、コメント入力部１２４と、決定ボタン１２５と、が設けられている。
【０１２０】
評価結果選択部１２１では、店舗の各売場に対して行った評価の結果をスーパーバイザーが選択する。ここでは、ラジオボタンにより、「良い」および「残念」のいずれかを選択することができる。ここで、評価対象とした売場に不備がない場合には「良い」を選択し、不備がある場合には「残念」を選択する。
【０１２１】
評価項目選択部１２２では、店舗の各売場に対して行った評価の種類（内容）である評価項目をスーパーバイザーが選択する。ここでは、図１２（Ｂ）に示すように、プルダウンメニューにより、整理整頓、フェースアップ、品出し、トイレ掃除、および接客のいずれかを選択することができる。
【０１２２】
改善要望選択部１２３では、評価結果選択部１２１で「残念」を選択した場合、すなわち、評価対象とした売場に不備がある場合に、その不備に対する改善処置の緊急性の度合いに応じて、改善処置の実施に関する要望をスーパーバイザーが選択する。ここでは、図１２（Ｃ）に示すように、プルダウンメニューにより、「至急」、「本日中」、および「参考」のいずれかを選択することができる。ここで、改善処置の緊急性が高く、即時に対応する必要がある場合には「至急」を選択し、改善処置の緊急性が低く、本日中に対応すればよい場合には「本日中」を選択し、改善処置の緊急性がないが、注意喚起の趣旨で店長に伝える必要がある場合には「参考」を選択する。
【０１２３】
コメント入力部１２４では、売場の不備を指摘する文言や、店長と意思疎通を図るための文言などのコメントをスーパーバイザーが入力する。
【０１２４】
評価結果選択部１２１、評価項目選択部１２２、改善要望選択部１２３、およびコメント入力部１２４で必要な操作を行って、決定ボタン１２５を操作すると、個別評価情報取得部５３（図４参照）において、入力された内容に基づいて、評価対象とした売場の評価結果に関する個別評価情報を取得する処理が行われる。
【０１２５】
次に、スーパーバイザーにより入力された評価結果を店長が確認する評価結果一覧画面について説明する。図１３、図１４および図１５は、図４に示した店舗のモニタ５に表示される評価結果一覧画面を示す説明図である。図１６は、図１３、図１４および図１５に示した評価結果一覧画面の要部を示す説明図である。
【０１２６】
図８に示した店舗モニタリング画面や図１０に示した売場モニタリング画面の表示モード選択部８３において、図９に示したように、評価結果別の評価集計、評価項目別の評価集計、評価者別の評価集計の各表示モードを選択すると、図１３、図１４および図１５に示す評価結果一覧画面が表示される。
【０１２７】
図１３、図１４および図１５に示す評価結果一覧画面には、集計条件設定部１３１と、表示ボタン１３２と、ダウンロードボタン１３３と、評価結果表示部１３４と、が設けられている。
【０１２８】
集計条件設定部１３１は、評価結果別の評価集計、評価項目別の評価集計、評価者別の評価集計の各表示モードに応じて異なり、図１３に示すように、評価結果別の評価集計を選択した際に表示される評価結果一覧画面では、集計条件設定部１３１に、評価結果選択部１３６と、集計期間選択部１３７と、が表示され、図１４に示すように、評価項目別の評価集計を選択した際に表示される評価結果一覧画面では、集計条件設定部１３１に、評価項目選択部１３８と、集計期間選択部１３７と、が表示され、図１５に示すように、評価者別の評価集計を選択した際に表示される評価結果一覧画面では、集計条件設定部１３１に、評価者選択部１３９と、評価項目選択部１３８と、集計期間選択部１３７と、が表示される。
【０１２９】
図１６（Ａ）に示すように、評価結果選択部１３６では、プルダウンメニューにより、すべて、良いおよび残念のいずれかを選択することができる。図１６（Ｂ）に示すように、集計期間選択部１３７では、プルダウンメニューにより、１日、１週間、２週間、および４週間のいずれかを選択することができる。図１６（Ｃ）に示すように、評価項目選択部１３８では、プルダウンメニューにより、すべて、整理整頓、フェースアップ、品出し、トイレ掃除、および接客を選択することができ、すべて以外の選択肢は複数選択することができる。図１６（Ｄ）に示すように、評価者選択部１３９では、プルダウンメニューにより、すべて、およびスーパーバイザーの各人を選択することができ、すべて以外の選択肢は複数選択することができる。
【０１３０】
このように集計条件設定部１３１で集計条件を選択して表示ボタン１３２を操作すると、選択された集計条件にしたがって、評価集計情報生成部３９（図４参照）において集計処理が行われて、その集計結果が評価結果表示部１３４に表示される。また、ダウンロードボタン１３３を操作すると、集計結果のメタファイル、例えばＣＳＶ（comma-separated values）ファイルを施設管理サーバ１１から店舗のＰＣ３に送信するダウンロードが行われ、集計結果を店舗のＰＣ３に取り込むことができる。これにより、店長などの店舗側のユーザが集計結果を自由に編集することができる。
【０１３１】
評価結果表示部１３４には、売場ごとの評価結果が一覧表示される。図１３、図１４および図１５に示す例では、時間帯（ここでは１５分単位）で区画されたセルごとに、売場ごとの評価結果を表示する個別評価結果表示部１４１が表示されている。この個別評価結果表示部１４１には、映像表示部１４２と、売場名称表示部１４３と、コメント表示部１４４と、が設けられており、スーパーバイザーが評価結果入力画面（図１２参照）上で評価結果を入力した時間帯の個別評価結果表示部１４１では、映像表示部１４２に売場の映像（静止画）が表示され、売場名称表示部１４３に売場名称が表示され、コメント表示部１４４に、スーパーバイザーが入力したコメントが表示される。
【０１３２】
また、図１３に示すように、評価結果別の評価集計を表示する評価結果一覧画面では、評価の良否（良いおよび残念）で区画されたセルに、個別評価結果表示部１４１が表示されており、これにより、一瞥しただけで良い評価を受けた売場と悪い評価を受けた売場とを店舗側のユーザが把握することができる。また、図１４に示すように、評価項目別の評価集計を表示する評価結果一覧画面では、評価項目および評価の良否で区画されたセルに、個別評価結果表示部１４１が表示されており、これにより、評価項目ごとの評価結果の違いを店舗側のユーザが把握することができる。また、図１５に示すように、評価者別の評価集計を表示する評価結果一覧画面では、評価者および評価の良否で区画されたセルに、個別評価結果表示部１４１が表示されており、これにより、複数のスーパーバイザーごとの評価結果を比較することができる。
【０１３３】
また、図１３、図１４および図１５に示す評価結果一覧画面では、問題のある評価結果についてユーザに注意を喚起するため、評価結果に問題がある個別評価結果表示部１４１が強調表示される。図１３、図１４および図１５に示す例では、個別評価結果表示部１４１に枠画像１４５が表示されている。この枠画像１４５は、太線や赤色などの着色などにより識別性を高めるようにするとよい。
【０１３４】
特に、図１３に示すように、評価結果別の評価集計を表示する評価結果一覧画面、および図１４に示すように、評価項目別の評価集計を表示する評価結果一覧画面では、店舗ギャップや売場ギャップにより要注意と判定された時間帯でかつ評価結果が「残念」である場合に、その評価結果を表示する個別評価結果表示部１４１に枠画像１４５が表示される。
【０１３５】
一方、図１５に示すように、評価者別の評価集計を表示する評価結果一覧画面では、同じ時間帯の同じ売場でスーパーバイザーの評価が異なる場合に、その評価結果を表示する個別評価結果表示部１４１に枠画像１４５が表示される。図１５に示す例では、弁当の売場でスーパーバイザーＡ，Ｂの評価が異なるため、個別評価結果表示部１４１に枠画像１４５が表示される。このとき、映像表示部１４２に表示された売場の映像を見ることで、スーパーバイザーの評価基準の違いを店舗側のユーザが把握することができる。
【０１３６】
なお、図１３、図１４および図１５に示した例は、集計期間に１日を選択した場合であり、時間帯（１５分単位）で区画されたセルに個別評価結果表示部１４１が表示されるが、集計期間に１週間、２週間、および４週間を選択すると、１日で区画されたセルに個別評価結果表示部１４１が表示される。この場合、１日で複数回の評価が行われると、１日のセルに複数の個別評価結果表示部１４１が表示される。
【０１３７】
次に、店長が店舗のＰＣ３で改善処置の実施状況を入力する改善状況入力画面について説明する。図１７は、図４に示した店舗のモニタ５に表示される改善状況入力画面を示す説明図である。
【０１３８】
店長が、図１３などに示した評価結果一覧画面で売場の不備を把握し、その不備を解消する改善処置を店員に指示して、売場の不備が解消されると、店長は、店舗のＰＣ３で改善処置の実施状況を入力する。このとき、図１２に示した評価結果入力画面の場合と同様に、図８および図１０に示したモニタリング画面で売場および時刻を選択すると、図１１に示した入力モード選択画面がポップアップで表示され、この入力モード選択画面で改善状況入力モードを選択すると、図１７に示す改善状況入力画面がポップアップで表示される。
【０１３９】
この改善状況入力画面には、映像表示部１５１と、コメント入力部１５２と、決定ボタン１５３と、が設けられている。映像表示部１５１には、不備が改善された状況が写った売場の映像が表示される。コメント入力部１５２では、不備が改善したことを報告する文言や、スーパーバイザーと意思疎通を図るための文言などのコメントを店長が入力する。コメント入力部１５２にコメントを入力して決定ボタン１５３を操作すると、売場の名称、売場の映像およびコメントを店舗のＰＣ３から施設管理サーバ１１に送信するアップロードが行われる。
【０１４０】
ここで、図８および図１０に示したモニタリング画面において、改善処置を実施した売場を選択するとともに、改善処置を実施した直後の時刻を選択すると、その選択された売場および時刻の映像、すなわち改善処置により不備が解消された状況が写った映像が、改善状況入力画面の映像表示部１５１に表示される。
【０１４１】
なお、改善処置を実施した直後の売場を、スマートフォンなどの携帯端末や携帯カメラを用いて撮影して、その映像をＰＣ３に取り込んで、この映像を改善状況入力画面の映像表示部１５１に表示させるようにしてもよい。この場合、例えば、映像表示部１５１を操作すると、ファイル選択画面が表示され、このファイル選択画面で、売場の映像が格納されたファイルを選択するようにすればよい。
【０１４２】
また、本実施形態では、本部のＰＣ１２において、店舗のＰＣ３において図１７に示した改善状況入力画面で入力された内容を表示する改善報告画面が表示され、この改善報告画面をスーパーバイザーが閲覧することで、売場の不備が改善されたことをスーパーバイザーが確認することができ、この本部のＰＣ３で表示される改善報告画面は特に図示しないが、図１７に示した改善状況入力画面と同様のものとすればよい。
【０１４３】
次に、スーパーバイザーの評価業務を管理する評価管理画面について説明する。図１８は、図４に示した本部のモニタ１５に表示される評価管理画面を示す説明図である。
【０１４４】
本実施形態では、図４に示したように、個別評価情報取得部５３において、評価結果入力画面（図１２参照）上で行われるスーパーバイザーの入力操作に応じて、店舗の各売場に対する評価結果に関する個別評価情報を取得する処理が行われ、評価管理情報生成部４０において、個別評価情報取得部５３で取得した個別評価情報に基づいて、各スーパーバイザーの評価業務の実施状況に関する評価管理情報を生成する処理が行われ、評価管理情報提示部５７において、評価管理情報生成部４０で生成した評価管理情報に基づいて、図１８に示す評価管理画面を生成してモニタ１５に表示させる処理が行われる。
【０１４５】
この評価管理画面には、複数のスーパーバイザーごとに評価業務の実施状況が表示されている。図１８に示す例では、時間帯（１５分単位）ごとに区画されたセルに、スーパーバイザーが評価結果入力画面（図１２参照）上で評価結果を入力した店舗の名称および売場の名称が表示されている。
【０１４６】
スーパーバイザーは、各自が担当する店舗について、予め定められた時間帯に評価業務を行うように業務スケジュールが定められており、このスーパーバイザーの評価業務を管理する本部マネージャーが評価管理画面を閲覧することで、業務スケジュールに従って各スーパーバイザーが評価業務を適切に実施したか否かを把握することができる。
【０１４７】
また、この評価管理画面では、業務スケジュールに定められた時間帯にスーパーバイザーが評価結果の入力を行わなかった場合に、その時間帯のセルが強調表示される。特にここでは、該当する時間帯のセルに枠画像１６５が表示される。この枠画像１６５は、太線や赤色などの着色などにより識別性を高めるようにするとよい。図１８に示す例では、朝の７時、昼の１２時および夕の１６時の各時間帯に評価業務を実施するように定められており、スーパーバイザーＣが、昼の１２時の時間帯で評価結果の入力を行っていないため、その時間帯のセルに枠画像１６２が表示されている。
【０１４８】
このように評価管理画面では、複数のスーパーバイザーごとに評価業務の実施状況が表示されるため、各スーパーバイザーが評価業務を適切に実施したか否かを本部マネージャーが把握することができる。特に、評価管理画面に表示される枠画像１６５により、スーパーバイザーが業務スケジュールに従って評価業務を実施しなかったことを本部マネージャーが即座に把握することができる。
【０１４９】
以上のように、本実施形態では、映像抽出部において、施設内を撮影した映像から、施設内の対象エリアの映像を抽出し、映像提示部において、対象エリアの映像をスーパーバイザーなどの本部側のユーザ（第１のユーザ）に提示し、個別評価情報取得部において、対象エリアの映像を閲覧した本部側のユーザが、対象エリアにおける不備の有無に関する評価結果を入力する操作に応じて、対象エリアの評価結果に関する個別評価情報を取得し、評価集計情報生成部において、個別評価情報を指定期間で集計して、その指定期間における評価結果を一覧表示するための評価集計情報を生成し、評価集計情報提示部において、評価集計情報を店長などの店舗側のユーザ（第２のユーザ）に提示し、改善実施情報取得部において、評価集計情報を閲覧した店舗側のユーザが、不備のある対象エリアで実施した改善処置の実施状況を入力する操作に応じて、その改善処置の実施状況に関する改善実施情報を取得し、改善実施情報提示部において、改善実施情報を本部側のユーザに提示するようにした。これにより、店舗に対する評価に関する情報、およびその評価に応じて店舗において実施した改善処置に関する情報を、本部側のユーザと店舗側のユーザとで共有して、本部側のユーザと店舗側のユーザとの間で意思疎通を図ることで、施設管理業務を合理的に行うことができる。
【０１５０】
また、本実施形態では、第１の数量取得部７３において、店舗において商品の購入が期待される顧客、すなわち店舗に来店した顧客に関連する第１の数量（例えば来店客数）を取得し、第２の数量取得部７４において、店舗において実際に商品を購入した顧客に関連する第２の数量（例えば店舗会計客数）を取得し、統計情報生成部３６において、第１の数量および第２の数量の時間的な推移状況を示す統計情報を生成し、統計情報提示部５１において、統計情報をスーパーバイザーなどの本部側のユーザ（第１のユーザ）に提示し、映像抽出部３７において、統計情報を閲覧した本部側のユーザが、統計情報の時間軸上の選択ポイントを選択する操作に応じて、選択された選択ポイントに対応する対象エリアの映像を抽出するようにした。このため、統計情報により、施設での機会損失の状況を本部側のユーザが把握することができる。また、対象エリアの映像により、機会損失の状況を本部側のユーザが具体的に確認することができる。そして、統計情報により問題があるものと考えられる選択ポイントの映像を素早く表示させて、統計情報と映像とを比較しながら、機会損失の状況を確認することができる。このため、施設での機会損失の状況を本部側のユーザが適切にかつ迅速に把握することができる。
【０１５１】
また、本実施形態では、要注意時間帯決定部３５において、第１の数量および第２の数量に基づいて、注意の必要性を時間帯ごとに判定して、要注意な時間帯を決定し、統計情報提示部において、要注意な時間帯に対応する選択ポイントを優先的に選択可能に表示するようにした。これにより、要注意な時間帯の映像を素早く表示させて、映像により機会損失の状況を具体的に確認する作業をスーパーバイザーなどの本部側のユーザ（第１のユーザ）が効率よく行うことができる。
【０１５２】
また、本実施形態では、第１の数量取得部７３において、店舗内を撮影した映像に基づいて、第１の数量として、店舗に来店した顧客の人数を取得し、第２の数量取得部７４において、販売情報を管理する販売情報管理装置から販売情報を取得して、その販売情報に基づいて、第２の数量として、店舗全体において実際に商品を購入した顧客の人数を取得するようにした。これにより、店舗全体での機会損失の状況をスーパーバイザーなどの本部側のユーザ（第１のユーザ）が把握することができる。
【０１５３】
また、本実施形態では、個別評価情報取得部５３において、複数のスーパーバイザー（第１のユーザ）による入力操作に応じて、個別評価情報を複数のスーパーバイザーごとに取得し、評価集計情報生成部３９において、複数のスーパーバイザーごとの評価結果を一覧表示する評価集計情報を生成するようにした。このため、複数のスーパーバイザーごとの評価結果を比較することで、複数のスーパーバイザーごとの評価基準の違いを店長などの店舗側のユーザ（第２のユーザ）が把握することができる。
【０１５４】
また、本実施形態では、評価集計情報提示部５４において、要注意な時間帯に対応する評価結果を、他の評価結果と識別可能に提示するようにした。このため、要注意な時間帯、すなわち機会損失が発生したものと想定される時間帯に対応する評価結果を店長などの店舗側のユーザ（第２のユーザ）が迅速に確認することができる。
【０１５５】
また、本実施形態では、評価集計情報提示部５４において、評価集計情報に、対象エリアの評価結果に対応させた状態で対象エリアの映像を付加して店長などの店舗側のユーザ（第２のユーザ）に提示するようにした。これにより、対象エリアの評価結果とともに対象エリアの映像が店舗側のユーザに提示されるため、対象エリアの評価内容を店舗側のユーザが容易にかつ具体的に把握することができる。そして、店長が対象エリアの映像に基づいて店員に対する指導を的確にかつ具体的に行うことができる。
【０１５６】
（第２実施形態）
次に、第２実施形態について説明する。なお、ここで特に言及しない点は第１実施形態と同様である。図１９は、第２実施形態において、本部のＰＣ１２および店舗のＰＣ３で実行される処理、ならびにスーパーバイザー、店長および店員が行う行為の概要を示すシーケンス図である。
【０１５７】
第１実施形態では、スーパーバイザーが、自分が担当する店舗の各売場に関する評価を行い、その評価結果を店長に提示するようにしたが、この第２実施形態では、店長自らが自分の店舗の各売場に関する評価を行い、その評価結果をスーパーバイザーに提示するようにしている。また、店長自らが行った評価に基づいて、必要な改善処置を店員に指示し、店員が改善処置を実施して不備が解消されると、第１実施形態と同様に、店長は、改善処置の実施状況をスーパーバイザーに報告し、スーパーバイザーは、店長からの報告を見て、店舗の不備が改善されたことを把握することができる。
【０１５８】
なお、この第２実施形態では、画面の表示が本部と店舗とで入れ替わる点や、画面操作がスーパーバイザーと店長とで入れ替わる点を除き、第１実施形態と概ね同様であり、画面の表示および画面操作の手順に関する詳細な説明は省略する。
【０１５９】
また、この第２実施形態では、店長自らが行った評価の結果をスーパーバイザーに提示するようにしたが、このスーパーバイザーへの評価結果の提示を行わないようにしてもよい。また、この第２実施形態は、第１実施形態と排他的に実施されるものではなく、第１実施形態と組み合わせて実施することも可能である。
【０１６０】
以上のように、第２実施形態では、映像抽出部３７において、店舗内を撮影した映像から、店舗内の対象エリアの映像を抽出し、映像提示部５２において、対象エリアの映像を店長などの店舗側のユーザ（第１のユーザ）に提示し、改善実施情報取得部５５において、対象エリアの映像を閲覧した店舗側のユーザが、不備のある対象エリアで実施した改善処置の実施状況を入力する操作に応じて、その改善処置の実施状況に関する改善実施情報を取得し、改善実施情報提示部５６において、改善実施情報をスーパーバイザーなどの本部側のユーザ（第２のユーザ）に提示するようにした。このため、店舗において実施した改善処置に関する情報を、店舗側のユーザと本部側のユーザとで共有して、店舗側のユーザと本部側のユーザとの間で意思疎通を図ることで、施設管理業務を合理的に行うことができる。
【０１６１】
以上、本発明を特定の実施形態に基づいて説明したが、これらの実施形態はあくまでも例示であって、本発明はこれらの実施形態によって限定されるものではない。また、上記実施形態に示した本発明に係る施設管理支援装置、施設管理支援システムおよび施設管理支援方法の各構成要素は、必ずしも全てが必須ではなく、少なくとも本発明の範囲を逸脱しない限りにおいて適宜取捨選択することが可能である。
【０１６２】
例えば、前記の実施形態では、コンビニエンスストアなどの小売店舗の例について説明したが、銀行などの金融機関や、ホテルなどの宿泊施設など、物品や役務を利用者に提供する各種の施設に広く適用することができ、このような施設とこれを統括する本部とが遠隔地にあり、また、本部に所属する指導員が多数の施設を担当する場合のように、施設の管理者と指導員との間で意思疎通を図ることが難しい場合に好適である。
【０１６３】
また、前記の実施形態では、人物検出を行う顧客検知部３３を施設管理サーバ１１に設けたが、施設管理サーバ１１とは別に人物検出装置を設けることも可能である。また、この人物検出装置をカメラ１に一体化して人物検出機能付きカメラとして構成することも可能である。
【０１６４】
また、施設内の撮影映像の表示再生する場合、顧客などの人物が映るが、プライバシー保護の観点から人物を消去、あるいは、人物領域を透過型のマスク映像に変更するなどの保護処理を施して表示再生するとよい。この保護処理については、施設管理サーバ１１側において行ってもよいが、カメラ１側で行ってもよい。その場合、顧客検知などの構成ともに保護処理部をカメラ１に一体化するなど、施設管理サーバ１１の構成の一部を取り込む形で構成するとよい。
【０１６５】
また、前記の実施形態では、施設管理支援に必要な処理を、本部に設置された施設管理サーバ１１に行わせるようにしたが、この必要な処理を、図１に示したように、クラウドコンピューティングシステムを構成するクラウドコンピュータ２１に行わせるようにしてもよい。また、必要な処理を複数の情報処理装置で分担し、ＩＰネットワークやＬＡＮなどの通信媒体を介して、複数の情報処理装置の間で情報を受け渡すようにしてもよい。この場合、必要な処理を分担する複数の情報処理装置で施設管理支援システムが構成される。
【０１６６】
このような構成では、施設管理支援に必要な処理のうち、少なくとも演算量が大きな処理、例えば人物検出処理を、店舗に設置されたＰＣ３やカメラ１などの装置に行わせるようにするとよい。このように構成すると、残りの処理で必要となる情報のデータ量が少なくて済むため、残りの処理を本部などの店舗とは異なる場所に設置された情報処理装置に行わせるようにしても、通信負荷を軽減することができるため、広域ネットワーク接続形態によるシステムの運用が容易になる。
【０１６７】
また、施設管理支援に必要な処理のうち、少なくとも演算量が大きな処理、例えば人物検出処理を、クラウドコンピュータ２１に行わせるようにしてもよい。このように構成すると、残りの処理は演算量が小さくて済むため、本部や店舗などのユーザ側に高速な情報処理装置が不要となり、ユーザが負担するコストを軽減することができる。
【０１６８】
また、本実施形態では、本部に設置された施設管理サーバ１１に施設管理支援に必要な処理を行わせるとともに、本部に設置されたＰＣ１２や店舗に設置されたＰＣ３で必要な入力および出力を行うようにしたが、スマートフォン２２やタブレット端末２３などの携帯型端末で必要な入力および出力を行うようにしてもよい。特に、タブレット端末２３などの携帯型端末を、スーパーバイザーなどの施設管理業務の担当者に所持させて、その担当者が任意の場所で閲覧および入力操作を行うことができるようにすると、利便性をより一層高めることができる。
【産業上の利用可能性】
【０１６９】
本発明にかかる施設管理支援装置、施設管理支援システムおよび施設管理支援方法は、施設に対する評価に関する情報や、その評価に応じて施設において実施した改善処置に関する情報を、複数の関係者同士で共有して、複数の関係者間での意思疎通を図ることで、施設管理業務を合理的に行うことができる効果を有し、物品または役務を利用者に提供する施設を管理するユーザの業務を支援する施設管理支援装置、施設管理支援システムおよび施設管理支援方法などとして有用である。
【符号の説明】
【０１７０】
１  カメラ
２  レコーダ
３  ＰＣ（ユーザ端末）
４  ＰＯＳ端末（販売情報管理装置）
５  モニタ（表示装置）
６  入力デバイス
１１  施設管理サーバ（施設管理支援装置）
１２  ＰＣ（ユーザ端末）
１３  ＰＯＳサーバ（販売情報管理装置）
１５  モニタ（表示装置）
１６  入力デバイス
２１  クラウドコンピュータ
２２  スマートフォン
２３  タブレット端末
３１  映像取得部
３３  顧客検知部
３４  計測部
３５  要注意時間帯決定部
３６  統計情報生成部
３７  映像抽出部
３９  評価集計情報生成部
５１  統計情報提示部
５２  映像提示部
５３  個別評価情報取得部
５４  評価集計情報提示部
５５  改善実施情報取得部
５６  改善実施情報提示部
５７  評価管理情報提示部
７３  第１の数量取得部
７４  第２の数量取得部
【要約】      （修正有）【課題】施設に対する評価や、その評価に応じて実施した改善処置に関する情報を、複数の関係者同士で共有して、施設管理業務を合理的に行う、施設管理支援装置を提供する。【解決手段】施設内の映像から対象エリアの映像を抽出する映像抽出部３７と、対象エリアの映像を第１のユーザに提示する映像提示部５２と、第１のユーザの入力により、対象エリアにおける評価結果に関する個別評価情報を取得する個別評価情報取得部５３と、個別評価情報を指定期間で集計して、その指定期間における評価結果を一覧表示する評価集計情報を生成する評価集計情報生成部３９と、評価集計情報を第２のユーザに提示する評価集計情報提示部５４と、第２のユーザの入力により、改善処置の実施状況に関する改善実施情報を取得する改善実施情報取得部５５と、改善実施情報を第１のユーザに提示する改善実施情報提示部５６と、を備える。【選択図】図４【図１】
0005866542.tif 000002
【図２】
0005866542.tif 000003
【図３】
0005866542.tif 000004
【図４】
0005866542.tif 000005
【図５】
0005866542.tif 000006
【図６】
0005866542.tif 000007
【図７】
0005866542.tif 000008
【図８】
0005866542.tif 000009
【図９】
0005866542.tif 000010
【図１０】
0005866542.tif 000011
【図１１】
0005866542.tif 000012
【図１２】
0005866542.tif 000013
【図１３】
0005866542.tif 000014
【図１４】
0005866542.tif 000015
【図１５】
0005866542.tif 000016
【図１６】
0005866542.tif 000017
【図１７】
0005866542.tif 000018
【図１８】
0005866542.tif 000019
【図１９】
0005866542.tif 000020